(57)【要約】【課題】外扉の内側面に配設したビルバリデータに収容した紙幣の盗難を防止することができる自動販売機を提供すること。【解決手段】外扉３の外表面に表出する紙幣挿入口３０を配設した取付部材３１を介して、外扉３の内側面にビルバリデータ３４を取り付けた自動販売機１において、取付部材３１とビルバリデータ３４との間に、紙幣が挿通する挿通口３６を形成した補強部材３３を介在させたので、紙幣挿入口３０にバール等の工具を突き刺してビルバリデータ３４の紙幣収納部まで押し広げる手口、紙幣挿入口３０をバール等の工具によって押し広げ、ピンセット等の工具によってビルバリデータ３４から紙幣をつまみ出すといった手口によってビルバリデータ３４に収容した紙幣が盗まれるという事態が防止可能となる。【選択図】        図１
2005258699.tif 000002
【特許請求の範囲】
【請求項１】
外扉の外表面に表出する紙幣挿入口を配設した取付部材を介して、前記外扉の内側面にビルバリデータを取り付けた自動販売機において、
前記取付部材と前記ビルバリデータとの間に、紙幣が挿通する挿通孔を形成した補強部材を介在させたことを特徴とする自動販売機。
【請求項２】
前記挿通孔の取付部材側を幅狭に形成する一方、ビルバリデータ側を幅広に形成したことを特徴とする請求項１に記載の自動販売機。
【請求項３】
前記取付部材に係止部を形成し、
前記補強部材が前記係止部と当接することにより、前記補強部材が前記紙幣挿入口から加えた外力に抗することを特徴とする請求項１または２に記載の自動販売機。
【発明の詳細な説明】
【技術分野】
【０００１】
本発明は、自動販売機に関し、特にビルバリデータに収容した紙幣の盗難を防止する自動販売機に関するものである。
【背景技術】
【０００２】
自動販売機の破壊の対象となる部位のうち最も攻撃を受ける部位は、自動販売機の外扉に配設したビルバリデータであるが、従来の自動販売機は、ビルバリデータの紙幣挿入口が表出するボックス形状の取付部材を介して、外扉の内側面にビルバリデータを取り付けていた（たとえば、特許文献１参照）。
【０００３】
【特許文献１】特開平１０−２０８１３１号公報
【発明の開示】
【発明が解決しようとする課題】
【０００４】
しかしながら、従来の自動販売機では、紙幣挿入口にバール等の工具を突き刺してビルバリデータの紙幣収納部まで押し広げるといった手口、紙幣挿入口をバール等の工具によって押し広げ、ピンセット等の工具によってビルバリデータから紙幣をつまみ出すといった手口によって、ビルバリデータに収容した紙幣が盗まれるという事態が生じていた。
【０００５】
本発明は、上記実情に鑑みて、外扉の内側面に配設したビルバリデータに収容した紙幣の盗難を防止することができる自動販売機を提供することを目的とする。
【課題を解決するための手段】
【０００６】
上記の目的を達成するために、本発明の請求項１に係る自動販売機は、外扉の外表面に表出する紙幣挿入口を配設した取付部材を介して、前記外扉の内側面にビルバリデータを取り付けた自動販売機において、前記取付部材と前記ビルバリデータとの間に、紙幣が挿通する挿通孔を形成した補強部材を介在させたことを特徴とする。
【０００７】
また、本発明の請求項２に係る自動販売機は、上記請求項１において、前記挿通孔の取付部材側を幅狭に形成する一方、ビルバリデータ側を幅広に形成したことを特徴とする。
【０００８】
また、本発明の請求項３に係る自動販売機は、上記請求項１または２において、前記取付部材に係止部を形成し、前記補強部材が前記係止部と当接することにより、前記補強部材が前記紙幣挿入口から加えた外力に抗することを特徴とする。
【発明の効果】
【０００９】
本発明に係る自動販売機は、取付部材とビルバリデータとの間に、紙幣が挿通する挿通孔を形成した補強部材を介在させたので、紙幣挿入口にバール等の工具を突き刺してビルバリデータの紙幣収納部まで押し広げる手口、紙幣挿入口をバール等の工具によって押し広げ、ピンセット等の工具によってビルバリデータから紙幣をつまみ出すといった手口によってビルバリに収容した紙幣が盗まれるという事態が防止可能になるという効果を奏する。
【００１０】
また、挿通孔の取付部材側を幅狭に形成する一方、ビルバリデータ側を幅広に形成したので、紙幣挿入口からビルバリデータに収容した紙幣をピンセット等の口部を用いても盗みにくくできる一方、取付部材とビルバリデータとの間に補強部材を介在させてもビルバリデータが紙幣を収容しやすいという効果を奏する。
【００１１】
取付部材に係止部を形成し、補強部材が係止部と当接することにより、補強部材が紙幣挿入口から加えた外力に抗するので、バール等の工具を紙幣挿入口が差し込んでも、ビルバリデータが損傷することがないという効果を奏する。
【発明を実施するための最良の形態】
【００１２】
以下に添付図面を参照して、本発明に係る自動販売機の好適な実施例を詳細に説明する。なお、この実施例によりこの発明が限定されるものではない。
【実施例】
【００１３】
図１は自動販売機の外観を示す正面図、図２は自動販売機の内部構成を示す斜視図、図３は外扉に取り付けたビルバリデータの周辺構成を示す縦断斜視図、図４は外扉に取り付けたビルバリデータの周辺構成を示す縦断側面図、図５は図４に示したビルバリデータの周辺構成を示す拡大側面図、図６は図３〜図５に示した補強部材の外観を示す斜視図、図７は図６に示した補強部材の一部を切り欠いた側面図である。
【００１４】
図１及び図２に示すように、自動販売機１は、本体キャビネット２と、本体キャビネット２に開閉可能に支承した外扉３とを有している。外扉３の前面には、透明な電照板４が嵌め込んであり、この電照板４と、外扉３の内側面に開閉可能に取り付けた中扉５とにより、展示室６を画成している。展示室６には、この自動販売機が販売する商品の商品見本７が展示してあり、電照板４には、商品見本と対応するように関連づけた選択ボタン８が配設してある。このため、自動販売機１の利用者は、商品見本７を参照しながら商品の選択が可能となっている。
【００１５】
外扉３の展示室６の近傍には、ハンドル１０、硬貨投入口２０、紙幣挿入口３０、金額表示器４０、返却レバー５０が配設してある。ハンドル１０は、本体キャビネット２に係止した外扉３の係止状態を解除して、外扉３を開放可能な状態に移行させるものであり、ロック機構（図示せず）を内蔵し、外扉３の係止状態を維持する。硬貨投入口２０は、外扉３の内側面に配設したコインメカニズム２１と連通し、硬貨を受け入れる部分であり、硬貨投入口２０の下方には、コインメカニズム２１から払い出した釣り銭、返却硬貨を受容する返却口２２が配設してある。
【００１６】
図３〜図５に示すように、紙幣挿入口３０は、取付部材３１の前面に配設してある。取付部材３１は、後面を開放したボックス形状を有しており、この取付部材３１を外扉３の内側面に取り付けると、紙幣挿入口３０は外扉３に形成した矩形の穴３ａから外表面に表出する。紙幣挿入口３０は、プラスチック等の合成樹脂により一体に形成してあり、取付部材３１に嵌め込むことにより取り付けてある。紙幣挿入口３０の開口部よりもやや上方には、透明なプラスチックのプレート３２が回動可能に取り付けてある。このプレート３２は、自重によって紙幣挿入口３０の開口部を覆い、自動販売機１の外部から粉塵及び雨水の浸入を防止する一方、プレート３２を手前側に回動させて、紙幣挿入口３０を露出させれば紙幣の挿入が可能となる。
【００１７】
取付部材３１には、補強部材３３を介在させてビルバリデータ３４が取り付けてある。ビルバリデータ３４は、挿入された紙幣を識別し、正規の紙幣と識別した場合に紙幣をビルバリデータ３４の内部（紙幣収納部３５）に積層して収容する一方、正規の紙幣でないと識別した場合に紙幣をビルバリデータ３４の外部（自動販売機１の外部）に返却するものである。このビルバリデータ３４の紙幣を受け入れる紙幣挿入口部３４ａは、ビルバリデータ３４から凸設している。
【００１８】
補強部材３３は、ビルバリデータ３４を保護するものであり、十分な板厚（たとえば、６ミリ程度）を有している。また、補強部材３３はビルバリデータ３４の凸設した紙幣挿入口部３４ａの形状と組み合うように、コの字形状を有している。コの字形状をした補強部材３３の上端部３３ａが取付部材３１に形成した鈎状の係止部３１ａと当接する一方、補強部材３３の下部から延在した取付部３３ｂが取付部材に形成した取付部３１ｂにネジ止めしてある。このため、自動販売機１の外部から紙幣挿入口３０を貫通して、バール等の工具が差し込まれても、補強部材３３の上端部３３ａと取付部材３１に形成した係止部３１ａとが当接し、外力に抗するので、ビルバリデータ３４が損傷することがない。
【００１９】
図６に示すように、補強部材３３には、取付部材３１に配設した紙幣挿入口３０からビルバリデータ３４に紙幣が挿通する挿通口３６が形成してある。このため、自動販売機１の外部、すなわち、紙幣挿入口３０から挿入した紙幣は、挿通口３６を経由してビルバリデータ３４に受け入れられる。
【００２０】
ここで、図７に示すように、挿通口３６の形状は取付部材３１側を幅狭（たとえば、６ミリ程度）に形成する一方、ビルバリデータ３４側に幅広（たとえば１０ミリ程度）に形成してある。このため、紙幣挿入口３０からピンセット等の工具によって紙幣が抜き取りにくくなり、紙幣の盗難を防止できる。
【００２１】
金額表示器４０は、硬貨投入口２０からコインメカニズム２１に受け入れた硬貨と、紙幣挿入口３０からビルバリデータ３４に受け入れた紙幣の合計金額を表示するものであり、販売する商品の価格を超える貨幣が投入された場合に、選択ボタン８の押下が有効となる。
【００２２】
返却レバー５０は、販売中止命令を入力する部分であり、受け入れた貨幣、及び釣り銭を返却口２２に返却する。なお、ビルバリデータ３４が返却機能を有しない場合には、受け入れた紙幣の相当分の硬貨をコインメカニズム２１から払い出し、返却口２２に返却する。
【００２３】
以上説明した本実施例に係る自動販売機１は、取付部材３１とビルバリデータ３４との間に、紙幣が挿通する挿通口３６を形成した補強部材３３を介在させたので、若干紙幣の挿入がしにくくなるが、ビルバリデータ３４を保護するとともに、紙幣挿入口３０からビルバリデータ３４が遠ざかり、紙幣挿入口３０にバール等の工具を突き刺してビルバリデータ３４の紙幣収納部まで押し広げる手口、紙幣挿入口３０をバール等の工具によって押し広げ、ピンセット等の工具によってビルバリデータ３４から紙幣をつまみ出すといった手口によってビルバリデータ３４に収容した紙幣が盗まれるという事態が防止可能となる。
【００２４】
また、挿通孔の取付部材３１側を幅狭に形成する一方、ビルバリデータ３４側を幅広に形成したので、紙幣挿入口３０からビルバリデータ３４に収容した紙幣を盗みにくくできる一方、取付部材３１とビルバリデータ３４との間に補強部材３３を介在させても紙幣の詰まりを防止できる。
【００２５】
取付部材３１に形成した係止部３１ａと補強部材３３の上端部３３ａとが当接することにより、補強部材３３が紙幣挿入口３０から加えた外力に抗するので、バール等の工具を紙幣挿入口３０に差し込んでも、ビルバリデータ３４が損傷することがない。
【００２６】
なお、屋内に設置する自動販売機１では、犯罪抑止力が働くので、紙幣等の盗難を目的とした自動販売機の破壊を考慮する必要がない。このため、補強部材３３を取り外して自動販売機を稼働させることも可能である。補強部材３３を取り外した場合には、防盗性は低下するが、補強部材３３を介在させた場合よりも紙幣の挿入が容易になる。
【００２７】
また、既に設置している自動販売機１に対しても、取付部材３１を交換して補強部材３３を介在させれば、自動販売機１の防盗性を向上させることができる。
【産業上の利用可能性】
【００２８】
以上のように、本発明に係る自動販売機は、内部に収容した紙幣の盗難阻止に有用であり、特に、屋外に設置する自動販売機に適している。
【図面の簡単な説明】
【００２９】
【図１】自動販売機の外観を示す正面図である。
【図２】自動販売機の内部構成を示す斜視図である。
【図３】外扉に取り付けたビルバリデータの周辺構成を示す縦断斜視図である。
【図４】外扉に取り付けたビルバリデータの周辺構成を示す縦断側面図である。
【図５】図４に示したビルバリデータの周辺構成を示す拡大側面図である。
【図６】図３〜図５に示した補強部材の外観を示す斜視図である。
【図７】図６に示した補強部材の断面図である。
【符号の説明】
【００３０】
１    自動販売機
３    外扉
３ａ  穴
３０    紙幣挿入口
３１    取付部材
３１ａ  係止部
３１ｂ  取付部
３３    補強部材
３３ａ  上端部
３３ｂ  取付部
３４    ビルバリデータ
３４ａ  紙幣挿入口部
３６    挿通口
【図１】
2005258699.tif 000003
【図２】
2005258699.tif 000004
【図３】
2005258699.tif 000005
【図４】
2005258699.tif 000006
【図５】
2005258699.tif 000007
【図６】
2005258699.tif 000008
【図７】
2005258699.tif 000009